(57)【要約】  【課題】  紙製被搬送物をせき止めることなく搬送路を復帰形成でき、しかも、搬送路の復帰形成の際に紙製被搬送物を傷めるおそれが少ない紙製被搬送物の搬送方法を提供する。  【解決手段】  不良紙が流れてくると、切り替えベルトコンベヤ１５は下側に揺動する。したがって、新聞紙Ａは、切り替えベルトコンベヤ１５上を移動して、排紙処理部１９に流れ込む。搬送路の復帰形成の際には、スライドシャフト４９が前方にスライド移動し、先端側ローラ５１が挟みローラ１２５に当接する。すでに排紙過程にあった新聞紙Ａは、先端側ローラ５１と挟みローラ１２５とで挟まれ、排紙処理部１９に流れ込む。その後、切り替えベルトコンベヤ１５は上側に揺動する。【選択図】  図８
2005306556.tif 000002
【特許請求の範囲】
【請求項１】
送り込みコンベヤ及びこの送り込みコンベヤの先端側に配置されている切り替えコンベヤを含んだコンベヤ装置により搬送路を形成し、  
紙製被搬送物をずれ重なった状態で前記搬送路に沿い搬送しながら、前記切り換えコンベヤを切り換え方向に移動させて切り替え路を形成し、この切り替え路に紙製被搬送物を流し込んだ後に、前記切り換えコンベヤを復帰方向に移動させて前記搬送路を復帰形成し、この搬送路に沿って紙製被搬送物を搬送する、紙製被搬送物の搬送方法であって、
紙製被搬送物の前記搬送路を復帰形成する際に、前記送り込みコンベヤの先端部を、この送り込みコンベヤの長さ方向に沿って下流側に延長移動させ、前記送り込みコンベヤの先端部及びこの送り込みコンベヤの下流側に配置されている挟み部材で、前記送り込みコンベヤの先端側に位置している紙製被搬送物を挟み付けて前記切り替え路側に供給し、
前記切り替えコンベヤを、前記送り込みコンベヤの先端部の延長移動の後に、復帰方向に移動させる、ことを特徴とする紙製被搬送物の搬送方法。
【請求項２】
送り込みベルトコンベヤ及びこの送り込みベルトコンベヤの先端側に配置された切り替えベルトコンベヤを含み、紙製被搬送物をずれ重なった状態で搬送する搬送路を形成しているベルトコンベヤ装置と、前記送り込みベルトコンベヤの上方に配置されたせき止め装置と、を備え、
前記せき止め装置を前記送り込みベルトコンベヤ上に移動させて紙製被搬送物をせき止めるとともに、前記切り替えベルトコンベヤを切り替え方向に移動させて切り替え路を形成し、前記せき止め装置による紙製被搬送物のせき止めを解除して、前記切り替え路に沿い紙製被搬送物が流れるようにする、切り替え動作と、
前記切り替えベルトコンベヤを復帰方向に移動させて前記搬送路を復帰形成し、復帰形成された前記搬送路に沿い紙製被搬送物が搬送されるようにする、復帰動作と、を行う紙製被搬送物の搬送システムであって、
前記送り込みベルトコンベヤの先端部を、前記送り込みベルトコンベヤの長さ方向に沿って下流側に延長移動させ、前記送り込みベルトコンベヤの下流側に配置された挟みローラと当接状態とする、移行動作を介して、前記復帰動作を行う、ことを特徴とする紙製被搬送物の搬送システム。
【請求項３】
前記せき止め装置には、紙製被搬送物をせき止めているときに、前記送り込みベルトコンベヤ上の紙製被搬送物を押え付けながら上流側に向かって移動する押えローラが設けられている、ことを特徴とする請求項２記載の紙製被搬送物の搬送システム。
【請求項４】
前記切り替えベルトコンベヤは、後端部を中心として揺動し、前記搬送路を前記切り替え路に切り替えるとともに、前記搬送路を復帰形成する、ことを特徴とする請求項２又は３記載の紙製被搬送物の搬送システム。
【発明の詳細な説明】
【技術分野】
【０００１】
本発明は、新聞紙等の紙製被搬送物を搬送する搬送方法及び紙製被搬送物の搬送システムに関し、より詳しくは搬送路と切り替え路とを形成する搬送方法及び搬送システムに関する。
【背景技術】
【０００２】
新聞輪転機から送り出された新聞紙は、不良紙を受け入れる排紙受けが設けられている搬出路を通ってカウンタスタッカに送り込まれる。そして、搬出路を流れる新聞紙に不良紙が含まれている場合には、新聞紙の搬出路を排紙路に切り替え、不良紙が排紙路を通って排紙受けに導かれるように処理する。不良紙を排紙路に流し終えたら、搬出路を復帰形成し、新聞紙のカウンタスタッカへの供給を再開する。
【０００３】
新聞紙などの紙製被搬送物の流れ方向を切り替える搬送路切り替え構造としては、搬送路の送り込みベルトコンベヤの先端側に切り替えベルトコンベヤを配置しておき、せき止め装置で送り込みベルトコンベヤ上の紙製被搬送物をせき止めている間に、切り替えベルトコンベヤを切り替え方向に移動させて切り替え路を形成するといったものが知られている（例えば特許文献１参照）。
【０００４】
【特許文献１】特開昭６０−１６７８５０号公報
【発明の開示】
【発明が解決しようとする課題】
【０００５】
しかしながら、このような搬送路切り替え構造では、切り替えベルトコンベヤを復帰させて搬送路を再び形成する場合にも、せき止め装置によって送り込みベルトコンベヤ上の紙製被搬送物をせき止めているので、操作が複雑であり、紙製被搬送物のスムーズな流れを阻害している。
【０００６】
そこで本発明は、新聞紙等の紙製被搬送物をせき止めることなく搬送路を復帰形成でき、しかも、搬送路の復帰形成の際に紙製被搬送物を傷めるおそれが少ない紙製被搬送物の搬送方法及び紙製被搬送物の搬送システムの提供を目的とする。
【課題を解決するための手段】
【０００７】
この目的を達成するための本発明の紙製被搬送物の搬送方法は、送り込みコンベヤ及びこの送り込みコンベヤの先端側に配置されている切り替えコンベヤを含んだコンベヤ装置により搬送路を形成し、紙製被搬送物をずれ重なった状態で前記搬送路に沿いあるいは前記搬送路上を搬送しながら、前記切り替えコンベヤを切り替え方向に移動させて切り替え路を形成し、この切り替え路に紙製被搬送物を流し込んだ後に、前記切り替えコンベヤを復帰方向に移動させて前記搬送路を復帰形成し、この搬送路に沿ってあるいはこの搬送路上で紙製被搬送物を搬送する、紙製被搬送物の搬送方法であって、紙製被搬送物の前記搬送路を復帰形成する際に、前記送り込みコンベヤの先端部を、この送り込みコンベヤの長さ方向に沿って下流側に延長移動させ、前記送り込みコンベヤの先端部及びこの送り込みコンベヤの下流側に配置されている挟み部材で、前記送り込みコンベヤの先端側に位置している紙製被搬送物を挟み付けて前記切り替え路側に供給し、前記切り替えコンベヤを、前記送り込みコンベヤの先端部の延長移動の後に、復帰方向に移動させる、ものである。切り替えコンベヤ、例えば切り替えベルトコンベヤは、紙製被搬送物、例えば新聞紙等の薄く広い紙製被搬送物の移動分岐個所を形成するが、送り込みコンベヤ、例えば送り込みベルトコンベヤは、この移動分岐個所に紙製被搬送物を送り込むものである。切り替えコンベヤの復帰方向への移動は、例えば、送り込みコンベヤの先端部が挟み部材と当接（例えば紙製被搬送物を介して当接）してから、又は、送り込みコンベヤの先端部及び挟み部材によって紙製被搬送物が切り替え路側に供給されてから、行うことができる。あるいは、切り替えコンベヤ上の紙製被搬送物がすべて切り替えコンベヤを通過してから（切り替えコンベヤ上に紙製被搬送物がなくなってから）、切り替えコンベヤの復帰方向への移動を行うこともできる。ここでは、搬送路の復帰形成時あるいは移行時に、切り替えコンベヤ上に載っている紙製被搬送物は、例えば、切り替え路を形成したままの切り替えコンベヤにより、切り替えコンベヤ上を離れるまで移動させられる。また、送り込みコンベヤの先端の手前（先端より後側）に位置している紙製被搬送物は、例えば、搬送路に沿って搬送される。さらに、送り込みコンベヤの先端を越えている紙製被搬送物は、例えば、切り替え路側に導かれる。
【０００８】
切り替えコンベヤは、送り込みコンベヤ又は送り込みコンベヤの延長部分と干渉しないで、搬送路を形成するまで復帰できるように構成される。例えば、切り替えコンベヤを切り替えベルトコンベヤとして構成するととともに、送り込みコンベヤも送り込みベルトコンベヤとして構成しておき、切り替えベルトコンベヤのコンベヤベルトを送り込みベルトコンベヤのコンベヤベルトと互い違いに配置しておく。  
【０００９】
本発明では、送り込みコンベヤの先端側に位置している紙製被搬送物は、例えば送り込みコンベヤの先端部から垂れ下がった状態で挟み部材側に運ばれる。したがって、挟み部材までの間に、紙製被搬送物の垂れ下がった部分と接触するような装置部分が配置されていると、紙製被搬送物が損傷する可能性がある。しかしながら、送り込みコンベヤの先端部は、この送り込みコンベヤの長さ方向に沿って下流側に延長移動する。すなわち、切り替えコンベヤが退避した後の搬送路に沿って移動する。したがって、装置部品と接触させないで紙製被搬送物を運ぶことができる。
【００１０】
送り込みコンベヤの先端部の延長移動の態様は、例えば、送り込みコンベヤを構成する全ての又は一部のベルトコンベヤの先端側ローラを移動させるといったものとすることができる。あるいは、送り込みコンベヤを、例えば３本の長いベルトコンベヤと、この長いベルトコンベヤの先端側に並んで配置された例えば４本の短いベルトコンベヤ（例えば長いベルトコンベヤの半分程度の長さのもの）と、から構成し、この短いベルトコンベヤ全体を移動させるといったものとすることもできる。
【００１１】
切り替えコンベヤを復帰方向に移動させ、この切り替えコンベヤで搬送路を構成してから、通常は、送り込みコンベヤの先端部を、後退させて延長移動前の状態に復帰させる。
【００１２】
また、本発明の紙製被搬送物の搬送システムは、送り込みベルトコンベヤ及びこの送り込みベルトコンベヤの先端側に配置された切り替えベルトコンベヤを含み、紙製被搬送物をずれ重なった状態で搬送する搬送路を形成しているベルトコンベヤ装置と、前記送り込みベルトコンベヤの上方に配置されたせき止め装置と、を備え、前記せき止め装置を前記送り込みベルトコンベヤ上に移動させて紙製被搬送物をせき止めるとともに、前記切り替えベルトコンベヤを切り替え方向に移動させて切り替え路を形成し、前記せき止め装置による紙製被搬送物のせき止めを解除して、前記切り替え路に沿い紙製被搬送物が流れるようにする、切り替え動作と、前記切り替えベルトコンベヤを復帰方向に移動させて前記搬送路を復帰形成し、復帰形成された前記搬送路に沿い紙製被搬送物が搬送されるようにする、復帰動作と、を行う紙製被搬送物の搬送システムであって、前記送り込みベルトコンベヤの先端部を、前記送り込みベルトコンベヤの長さ方向に沿って下流側に延長移動させ、前記搬送ベルトコンベヤの下流側に配置された挟みローラと当接状態（当接させること及び当接直前の状態を含む）とする、移行動作を介して、前記復帰動作を行う、ものである。送り込みベルトコンベヤ及び切り替えベルトコンベヤは、通常、切り替え動作、移動動作及び復帰動作の前後を通じて継続作動を行う。せき止め装置の送り込みベルトコンベヤ上への移動の態様は、送り込みベルトコンベヤ上に直接移動する場合と、例えば送り込みベルトコンベヤよりも若干上方に受け板を突出させてこの受け板で紙製被搬送物を支持し、この受け板上に移動するような場合と、を含んでいる。
【００１３】
せき止め装置には、紙製被搬送物をせき止めているときに、送り込みベルトコンベヤ上の紙製被搬送物（例えば送り込みベルトコンベヤの上方に多少突出する受け板上に紙製被搬送物が支持されている場合を含む）を押え付けながら上流側（後方）に向かって移動する押えローラが設けられていることが効果的である。
【００１４】
切り替えベルトコンベヤは、後端部（上流側端部）を中心として揺動し、搬送路を切り替え路に切り替えるとともに、搬送路を復帰形成するものとして構成できる。この場合には、切り替えベルトコンベヤを、先端側（下流側）が下降するように揺動させて、搬送路を切り替え路に切り替え、また、切り替えベルトコンベヤを、先端側が上昇するように揺動させて、搬送路を復帰形成するといったように構成できる。
【発明の効果】
【００１５】
以上説明したように、本発明の紙製被搬送物の搬送方法及び紙製被搬送物の搬送システムを用いれば、紙製被搬送物を傷付けることなく、少ないせき止め回数で、紙製被搬送物の流れ方向を適時に変更できる。    
【発明を実施するための最良の形態】
【００１６】
以下、本発明の実施の形態を図面を参照して説明する。
【００１７】
図１は、本発明に係る紙製被搬送物の搬送システムを適用した、新聞輪転機からカウンタスタッカに新聞紙を搬送するための搬送システムの概略図である。
【００１８】
新聞輪転機（図示せず）には、新聞紙を送り出す送出口個所が２つ設けられていて、第１の送出口個所は、第１の搬出路１（搬送路）に接続されて第１のカウンタスタッカ３に連なり、第２の送出口個所は、第２の搬出路５（搬出路）に接続されて第２のカウンタスタッカ７に連なっている。第１の搬出路１は、複数のベルトコンベヤを連結することにより構成されたコンベヤ装置により形成され、この第１の搬出路１の斜め上方に傾斜して延びる傾斜部分９では、傾斜部分９の中間に位置する送り込みベルトコンベヤ１１と傾斜部分９の下流側に位置する変更ベルトコンベヤ１３との間に、切り替えベルトコンベヤ１５が配置されて切り替え部１７が設けられていて、切り替えベルトコンベヤ１５の切り替え作動により、送り込みベルトコンベヤ１１、切り替えベルトコンベヤ１５及び変更ベルトコンベヤ１３を通る第１の搬出路１が、新聞輪転機から排出された不良紙を受け入れて処理する排紙処理部１９に連なる排紙路２１（切り替え路）に切り替えられることとなる。また、第２の搬出路５も、複数のベルトコンベヤを連結することにより構成されたコンベヤ装置により形成され、この第２の搬出路５の斜め上方に傾斜して延びる傾斜部分２３では、傾斜部分２３の中間に位置する送り込みベルトコンベヤ２５と傾斜部分２３の下流側に位置する搬送用ベルトコンベヤ２７との間に、切り替えベルトコンベヤ２９が配置されて切り替え部３１が設けられていて、切り替えベルトコンベヤ２９の切り替え作動により、送り込みベルトコンベヤ２５、切り替えベルトコンベヤ２９及び搬送用ベルトコンベヤ２７を通る第２の搬出路５が、新聞輪転機から排出された不良紙を受け入れて処理する排紙処理部３３に連なる排紙路３５（切り替え路）に切り替えられることとなる。切り替え部３１は、搬送用ベルトコンベヤ２７が変更ベルトコンベヤ１３と構造を異にしている以外は、切り替え部１７と同一の構成を備えている。
【００１９】
なお、第１の搬出路１の傾斜部分９に配置された変更ベルトコンベヤ１３の変更作動により、新聞輪転機の第１の送出口個所から第２のカウンタスタッカ７に至る第３の搬出路３７が形成されることとなる。
【００２０】
新聞輪転機から送り出される新聞紙Aあるいは新聞輪転機から排紙される新聞紙Aは、図２に示すように、ずれ重なった状態で、すなわち一部分が重なった状態で移動又は搬送方向にずれて、第１の搬送路１上などを移動する。
【００２１】
図３は切り替え部１７個所の正面図、図４は切り替え部１７個所の平面図、図５は切り替え部１７個所の側面図である。
【００２２】
第１の搬出路１の幅方向両側には、この第１の搬出路１に沿って延びるように、支持脚３９によって支えられた一対の側方支持部４１、４１が配置されている。第１の搬出路１の傾斜部分９の中間に位置する送り込みベルトコンベヤ１１は、両端部がそれぞれ、側方支持部４１、４１に回転可能に支持された、３つの駆動ローラ４３が固定されている後方のメイン駆動軸４５と、側方支持部４１に取り付けられた、メイン駆動軸４５を回転駆動するための駆動モータ４７と、を備えていて、駆動モータ４７は、切り替え部１７の全てのベルト車の駆動源となっている。送り込みベルトコンベヤ１１はさらに、３つの駆動ローラ４３の前方（下流側）でそれぞれ、側方支持部４１の上端面にほぼ沿って前方に延びるように配置された、３本のスライドシャフト４９と、それぞれのスライドシャフト４９の先端部に回転可能に取り付けられた先端側ローラ５１と、それぞれのスライドシャフト４９の後端部に回転可能に取り付けられた後端側ローラ５３と、３本のスライドシャフト４９を側方支持部４１の上端面にほぼ沿って前後方向にスライド移動させるスライド用シリンダ５５と、先端側ローラ５１及び後端側ローラ５３の間に位置し、両端部が例えば側方支持部４１、４１に回転可能に支持された従動軸５７に固定して取り付けられている、先端側ローラ５１（後端側ローラ５３）のそれぞれに対応する３つの従動ローラ５９と、を有している。
【００２３】
送り込みベルトコンベヤ１１では、駆動ローラ４３、先端側ローラ５１、後端側ローラ５３及び従動ローラ５９の各組毎に送り込みコンベヤベルト６１が掛け渡されているが、この３本の送り込みコンベヤベルト６１はそれぞれ、駆動ローラ４３から前方に延びて先端側ローラ５１に達し、先端側ローラ５１を回ってから後方に延びて後端側ローラ５３に達し、後端側ローラ５３を回ってから前方に延びて従動ローラ５９に達し、そして、従動ローラ５９を回ってから後方に延びて駆動ローラ４３を回るといったように配置されている。
【００２４】
送り込みベルトコンベヤ１１の先端側（上流側）に配置された切り替えベルトコンベヤ１５は、送り込みベルトコンベヤ１１の先端側ローラ５１とほぼ同一の移動又は搬送方向位置で、両端部がそれぞれ、側方支持部４１、４１に回転可能に支持された、４つの駆動ローラ６３が固定されている後方の駆動軸６５と、後端部がそれぞれ、駆動軸６５の両端部に回転可能に嵌められて前方に延びている一対の支持プレート６７、６７と、この支持プレート６７、６７の先端部間に回転可能に設けられた、それぞれの駆動ローラ６３と対応する４つの従動ローラ６９が固定されて取り付けられている従動シャフト７１と、駆動ローラ６３及び従動ローラ６９の各組毎に掛け渡された４本の切り替えコンベヤベルト７３と、を備えている。切り替えベルトコンベヤ１５の駆動軸６５は、伝達ベルト７５を介して駆動モータ４７と接続され、それぞれの支持プレート６７の後端部には、側方支持部４１に揺動可能に取り付けられた切り替えシリンダ７７のロッド先端部が回転可能に接続されている。
【００２５】
なお、４本の切り替えコンベヤベルト７３は、３本の送り込みコンベヤベルト６１と互い違いに配置されていて、内側の２本の切り替えコンベヤベルト７３が送り込みコンベヤベルト６１間に入り込み、外側の２本の切り替えコンベヤベルト７３が送り込みコンベヤベルト６１の両外側に並ぶことができるように構成されている。
【００２６】
送り込みベルトコンベヤ１１の上側には、せき止め装置７９及び押えベルト車装置８１が配置されている。押えベルト車装置８１は、側方支持部４１、４１にそれぞれ設けられた、上方に延びるプレート状の取り付け部８３、８３に回転可能に支えられて幅方向に延びる駆動シャフト８７と、この駆動シャフト８７の中間部両側にそれぞれ、後端部が回転可能に取り付けられた一対の揺動支持体８９、８９と、駆動シャフト８７に固定して取り付けられた一対の駆動ローラ９１、９１（一方側のみ図示）と、それぞれの揺動支持体８９、８９の先端部に回転可能に取り付けられた従動ローラ９３、９３と、それぞれの揺動支持体８９、８９の後端部に中央部が回転可能に取り付けられているL字型の第１の揺動アーム９５、９５（一方側のみ図示）の一端部に回転可能に設けられた第１のテンションローラ９７、９７と、それぞれの揺動支持体８９、８９の中間部に中央部が回転可能に取り付けられているL字型の第2の揺動アーム９９、９９（一方側のみ図示）の一端部に回転可能に設けられた第２のテンションローラ１０１、１０１と、駆動ローラ９１、従動ローラ９３、第１のテンションローラ９７及び第２のテンションローラ１０１の各組毎に掛け渡された、送り込みベルトコンベヤ１１の両側の送り込みコンベヤベルト６１、６１にそれぞれ対応する送り込み補助用駆動ベルト１０３、１０３と、を備えていて、それぞれの揺動支持体８９、８９には、取り付け部８３、８３間に設けられた支持プレート８４に固定されたブラケット８５に揺動可能に取り付けられた補助駆動用シリンダ１０５のロッド先端部が回転可能に取り付けられている。駆動シャフト８７は、伝達ベルト１０７を介して駆動モータ４７と連結されている。また、第１の揺動アーム９５の他端部及び揺動支持体８９には、第１の引っ張りコイルバネ１０９が接続され、第２の揺動アーム９９の他端部及び揺動支持体８９にも、第２の引っ張りコイルバネ１１１が接続されていて、第１のテンションローラ９７及び第２のテンションローラ１０１は、下方に向かって付勢されている。ただし、第１の揺動アーム９５及び第２の揺動アーム９９は、ストッパ（図示せず）により揺動範囲が規制されている。
【００２７】
せき止め装置７９は、ブラケット８５の下側中央部に設けられた取り付け部材１１２に後端部が回転可能に取り付けられたプレート状の押え本体１１３と、この押え本体１１３の先端部内面に垂直に延びるように固定され、中央の送り込みコンベヤベルト６１を横切ってこの送り込みコンベヤベルト６１に対してほぼ垂直に下降するように形成されている、下端部が後方に向かって折り曲げられてストッパ部１１４を形成しているせき止め用プレート部材１１５と、先端部がせき止め用プレート部材１１５の前面下側に固定され、駆動軸８７に回転可能に設けられているカバー用ローラ（図示せず）を回って、後端部がブラケット８５に設けられている引っ張りコイルスプリング１１６に接続されるように延びているゴムカバー１１７と、押え本体１１３の内面に形成された前後方向に延びるガイド１１９に沿って、ゴムカバー１１７を押圧しながら、前後方向に移動できるように構成された押圧ローラ１２１と、備えていて、押え本体１１３には、ブラケット８５に揺動可能に取り付けられたせき止め用シリンダ１２３のロッド先端部が回転可能に取り付けられている。
【００２８】
切り替えベルトコンベヤ１５の先端側には、挟みローラ１２５（挟み部材）が配置されていて、この挟みローラ１２５は、後方に向かって付勢されている揺動アーム１２７の先端部に回転可能に取り付けられているが、揺動アーム１２７の後方への揺動範囲はストッパ（図示せず）により規制されているので、切り替えベルトコンベヤ１５の先端部とわずかな隙間を有するように位置している。
【００２９】
なお、図中１２９は、送り込みベルトコンベヤ１１の送り込みコンベヤベルト６１と互い違いに配置された受け板であり、通常は、送り込みコンベヤベルト６１よりも下側に位置しているが、受け板用シリンダ（図示せず）の伸長作動により、送り込みコンベヤベルト６１よりも若干上側に上昇することができる。
【００３０】
図６は切り替え部１７の作動過程を説明する図であり、新聞紙Ａをせき止める場合を示す図、図７は切り替え部１７の作動過程を説明する図であり、新聞紙Ａを排紙路２１に流す場合を示す図、図８は切り替え部１７の作動過程を説明する図であり、第１の搬出路１を復帰形成する場合の移行過程を示す図である。
【００３１】
新聞紙Aを第1の搬出路１に沿って搬送し、第１のカウンタスタッカ３に流し込む場合には、図３に示すように、切り替えベルトコンベヤ１５は、第１の搬出路１が形成されるように、送り込みベルトコンベヤ１１と一直線状に位置して保持され、送り込みベルトコンベヤ１１と下流側の変更ベルトコンベヤ１３とを連結している。ここでは、せき止め装置７９は、送り込みベルトコンベヤ１１上から浮き上がるように保持され、押えベルト車装置８１は、第１のテンションローラ９７だけが送り込み補助用駆動ベルト１０３を介して送り込みベルトコンベヤ１１の送り込みコンベヤベルト６１と接触するように上方に保持される。新聞紙Aは、送り込みベルトコンベヤ１１の送り込みコンベヤベルト６１と、押えベルト車装置７５の第１のテンションローラ９７（第１のテンションローラ９７個所の送り込み補助用駆動ベルト１０３）と、に挟まれて搬送されるので、重なり状態を乱すことなく傾斜部分９を昇って移動する。
【００３２】
ここで、不良紙が流れてきたことにより、第１の搬出路１を排紙路２１に切り替える必要が生じた場合には、受け板１２９が送り込みコンベヤベルト６１の上側に上昇して新聞紙Ａを支えるとともに、せき止め用シリンダ１２３が伸長作動してせき止め装置７９を下方に揺動させる。そうすると、せき止め装置７９のゴムカバー１１７が、受け板１２９の先端部上で、新聞紙Aを押えてせき止める（図６参照）。
【００３３】
せき止め装置７９が新聞紙Aをせき止めると、押圧ローラ１２１がガイド１１７に沿って所低速度で上流側に移動する。押圧ローラ１２１は、常に下側に揺動するように付勢されているので、ゴムカバー１１７を介して新聞紙Aを押えながら上流側に移動することとなる。このようにして、新聞紙Aを先端側から順次押えていく。
【００３４】
せき止め装置７９にせき止められた新聞紙Aよりも下流側の新聞紙Aが、切り替えベルトコンベヤ１５上を通過したことが確認されたら、受け板１１９が下降するととともに、補助駆動用シリンダ１０５が伸長作動し、押えベルト車装置８１は、先端側の従動ローラ９３が送り込みベルトコンベヤ１１の送り込みコンベヤベルト６１上に下降するまで、下側に揺動する。また、切り替えシリンダ７７が収縮作動し、切り替えベルトコンベヤ１５が下側に揺動する。ここでは、送り込み補助用駆動ベルト１０３の下側が、ほぼ全体的に送り込みコンベヤベルト６１上の新聞紙Aと接触する。したがって、新聞紙Aは、送り込みベルトコンベヤ１１の送り込みコンベヤベルト６１及び押えベルト車装置８１の送り込み補助用駆動ベルト１０３に挟まれて搬送され、切り替えベルトコンベヤ１５上に移動して、排紙処理部１９に流れ込む（図７参照）。
【００３５】
不良紙が排紙されたら、スライド用シリンダ５５を伸長作動させて、スライドシャフト４９を前方にスライド移動させ、先端側ローラ５１を挟みローラ１２５に当接させる。ここで、スライドシャフト４９を移動させるときに、すでに排紙過程にあった新聞紙Ａは、先端側ローラ５１と挟みローラ１２５とで挟まれ、排紙処理部１９（切り替え路２１側）に流れ込んで収容される（図８参照）。
【００３６】
切り替えベルトコンベヤ１５上の新聞紙Ａが全て排紙され、先端側ローラ５１と挟みローラ１２５とで挟まれた新聞紙Ａも排紙されたら、切り替えベルトコンベヤ１５を上方に揺動させて復帰させ、スライドシャフト４９を後方あるいは上流側にスライド後退させ、そして、押えベルト車装置８１を上方に揺動させて、第1の搬出路１を復帰させる（図３参照）。
【産業上の利用可能性】
【００３７】
本発明の紙製被搬送物の搬送方法及び紙製被搬送物の搬送システムは、新聞紙の搬出路に適用されて新聞紙を円滑に処理できるものである。
【図面の簡単な説明】
【００３８】
【図１】本発明に係る紙製被搬送物の搬送システムを適用した、新聞輪転機からカウンタスタッカに新聞紙を搬送するための搬送システムの概略図である。
【図２】新聞紙の搬送状態を示す図である。
【図３】切り替え部個所の正面図である。
【図４】切り替え部個所の平面図である。
【図５】切り替え部個所の側面図である。
【図６】切り替え部の作動過程を説明する図であり、新聞紙をせき止める場合を示す図である。
【図７】切り替え部の作動過程を説明する図であり、新聞紙を排紙路に流す場合を示す図である。
【図８】切り替え部の作動過程を説明する図であり、第１の搬出路を復帰形成する場合の移行過程を示す図である。
【符号の説明】
【００３９】
１、５              搬出路（搬送路）
１１                送り込みベルトコンベヤ（送り込みコンベヤ）
１５                切り替えベルトコンベヤ（切り替えコンベヤ）
２１                切り替え路
Ａ                  新聞紙
【図１】
2005306556.tif 000003
【図２】
2005306556.tif 000004
【図３】
2005306556.tif 000005
【図４】
2005306556.tif 000006
【図５】
2005306556.tif 000007
【図６】
2005306556.tif 000008
【図７】
2005306556.tif 000009
【図８】
2005306556.tif 000010